(57)【要約】【課題】一つの操作部材を操作する際の操作負荷と、一つの操作部材の操作によって別の操作部材を連動させる際の操作負荷とを同程度にして誤操作の発生を防止する。【解決手段】ストロボ操作部材８だけを上方の第２操作位置にスライドすると、係止片８６と突起８５ｄとによる操作負荷が生じる。モード選択部材９を図中右方の第２’操作位置にスライドさせ、これに連動してストロボ操作部材８を上方の第２操作位置にスライドさせる場合にも、係止片８６と突起８５ｄとによる操作負荷しか生じない。モード選択部材９だけを図中左方の第１’操作位置にスライドすると、突起８５ｂと係止部７３ｂとによる搬送負荷が生じる。ストロボ操作部材８を下方の第１操作位置にスライドさせ、これに連動してモード選択部材９を図中左方の第１’操作位置にスライドさせる場合には、係止片８６と突起８５ｄとによる操作負荷が生じる。【選択図】　　　　図６
2004029157.tif 000002
【特許請求の範囲】
【請求項１】
第１の操作位置と第２の操作位置との間でスライドされてモード選択される第１操作部材と、
第１’の操作位置と第２’の操作位置との間でスライドされてモード選択される第２操作部材とを備え、
第２操作部材を第１’の操作位置から第２’の操作位置へとスライドさせる際に、第２操作部材に連動して第１操作部材を第１の操作位置から第２の操作位置へとスライドさせ、
第１操作部材を第２の操作位置から第１の操作位置へとスライドさせる際に、第１操作部材に連動して第２操作部材を第２’の操作位置から第１’の操作位置へとスライドさせるようにしたモード選択装置において、
前記第１操作部材を第１の操作位置と第２の操作位置とで係止する第１クリックストップ機構と、
第１操作部材が第２の操作位置にあるときに第２操作部材を第１’の操作位置と第２’の操作位置とで係止し、第１操作部材が第１の操作位置にあるときに第２操作部材を係止しない、若しくは第２操作部材を第１クリックストップ機構よりも弱い力で係止する第２クリックストップ機構とを設けたことを特徴とするモード選択装置。
【請求項２】
前記第２クリックストップ機構は、第１操作部材と第２操作部材とのいずれか一方に設けられた係止部と、他方に設けられて係止部に係合する弾性部とからなることを特徴とする請求項１記載のモード選択装置。
【請求項３】
請求項１または請求項２記載のモード選択装置を用いて、複数種類の撮影モードを選択できるようにしたことを特徴とするレンズ付きフイルムユニット。
【発明の詳細な説明】
【０００１】
【発明の属する技術分野】
本発明は、二つの操作部材の操作位置の組み合わせによってモード選択を行なうモード選択装置と、このモード選択装置を用いるレンズ付きフイルムユニットとに関するものである。
【０００２】
【従来の技術】
製造時に写真フイルムが装填されたレンズ付きフイルムユニットが各種販売されている。これらのレンズ付きフイルムユニットのなかには、絞り切替機構や、シャッタ速度切替機構、ストロボ減光機構等を組み込み、これらの機構をスライド式の二つの操作部材の操作によって切り替えて、例えば３種類の撮影モードを選択できるようにしたものがある。
【０００３】
二つの操作部材で３種類の撮影モードを選択できるようにする場合、第１の操作部材によって第１撮影モードと第２撮影モードとの間の切り替えを行い、第２の操作部材によって第２撮影モードと第３撮影モードとの間の切り替えを行なうようにすることがある。
【０００４】
この撮影モード選択方法によれば、第１撮影モードと第３撮影モードとの間の切り替えを行なう際に、第１操作部材と第２操作部材とを操作しなくてはならないため、煩わしいものであった。そこで、一方の操作部材の操作に連動して、他方の操作部材を移動できるようにすることも行なわれている。
【０００５】
【発明が解決しようとする課題】
スライド式の操作部材には、各操作位置で操作部材を停止させるために、係止片と弾性片とからなるクリックストップ機構が設けられている。そのため、一つの操作部材を操作する場合に比べて、一方の操作部材で他方の操作部材を連動させる場合には、クリックストップ機構による負荷が大きくなる。過大な操作負荷や操作負荷の変動は、操作部材の誤操作を招くことがある。
【０００６】
本発明は、上記問題点を解決するためのもので、一つの操作部材のみを操作する際の操作負荷と、一つの操作部材の操作によって別の操作部材を連動させる際の操作負荷とを同程度にし、誤操作の発生を防止することを目的とする。
【０００７】
【課題を解決するための手段】
上記問題点を解決するために、本発明のモード選択装置は、、第１操作部材を第１の操作位置と第２の操作位置とで係止する第１クリックストップ機構と、第１操作部材が第２の操作位置にあるときにのみ、第２操作部材を第１’の操作位置と第２’の操作位置とで係止し、第１操作部材が第１の操作位置にあるときに第２操作部材を係止しない第２クリックストップ機構とを設けたものである。なお、第１操作部材が第１の操作位置にあるときに、第２クリックストップ機構によって第２操作部材を弱い力で係止してもよい。
【０００８】
第２クリックストップ機構は、第１操作部材と第２操作部材とのいずれか一方に設けられた係止部と、他方に設けられて係止部に係合する弾性部とから構成したものである。このモード選択装置を用いることで、複数の撮影モードの選択が簡便に行なえるレンズ付きフイルムユニットを構成することができる。
【０００９】
【発明の実施の形態】
図１は、本発明を実施したレンズ付きフイルムユニットの外観形状を示す斜視図である。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１０】
ユニット本体３の前面には、撮影レンズ５，ファインダ６，ストロボ発光部７，ストロボ操作部材８，モード選択部材９等が設けられている。ユニット本体３の上面には、シャッタボタン１０，カウンタ表示窓１１，シグナル用開口１２等が設けられている。ユニット本体３の背面からは、撮影後のフイルム巻き上げに用いられる巻上げノブ１３の一部が露呈されている。
【００１１】
第１操作部材であるストロボ操作部材８は、ユニット本体３の前面に形成された操作開口１５内に収められている。ストロボ操作部材８は、操作開口１５内の下方に位置する第１操作位置と、図２に示すように、第１操作位置から上方に向けてスライドされた第２操作位置との間でスライド操作される。
【００１２】
第２操作部材であるモード選択部材９は、ユニット本体３の前面下方に形成された操作開口１７内に収められている。モード選択部材９は、操作開口１７内の図中左方に位置する第１’操作位置と、図３に示すように、第１’操作位置から図中右方に向けてスライドされた第２’操作位置との間でスライド操作される。
【００１３】
レンズ付きフイルムユニット２は、ストロボ操作部材８とモード選択部材９とが第１及び第１’操作位置にある際に、ストロボＯＦＦ及び小絞り及び高速シャッタの日中撮影モード（第１撮影モード）となる。
【００１４】
また、ストロボ操作部材１５が第２操作位置にあり、モード選択部材９が第１’操作位置にある際には、ストロボＯＮ及び小絞り及び高速シャッタの日中シンクロ撮影モード（第２撮影モード）となる。この日中シンクロ撮影モードでは、レンズ付きフイルムユニット２の上面からシグナル部材１９が突出される。このシグナル部材１９はライトガイドであり、ストロボ充電の完了時に発光する発光素子の光をユニット本体３外にガイドして、撮影準備が完了したことを知らせる。
【００１５】
また、ストロボ操作部材８とモード選択部材９とが第２及び第２’操作位置にある際には、ストロボＯＮ及び大絞り及び低速シャッタの夜間シンクロ撮影モード（第３撮影モード）となる。この夜間シンクロ撮影モードでは、ストロボ発光部７の前方に板状の減光部材２１が下方から挿入され、ストロボ光量の減光が図られる。また、ファインダ６の前方には、円板状の指標板２２が突出される。この指標板２２は、ファインダ６内で視認されることにより、レンズ付きフイルムユニット２が夜間シンクロ撮影モードにあることを撮影者に知らせる。
【００１６】
ストロボ操作部材８が第１操作位置にあり、モード選択部材９が第２’操作位置にあると、ストロボＯＦＦ及び大絞り及び低速シャッタとなり、夕方の撮影等に有効である。しかし、特に写真やカメラに関する知識を持たないユーザーに、このモードの用途を認識させるのは難しい。むしろ、ストロボが必要なシーンでこのモードを使用してアンダー写真となったり、日中にこのモードを使用して超オーバー写真となるデメリットのほうが大きい。そのため、本実施形態では、このモードがセットされないように、ストロボ操作部材８とモード選択部材９とが連動する構成としている。
【００１７】
図４は、ユニット本体３の構成を示す分解斜視図である。ユニット本体３は、１３５タイプのフイルムパトローネ２５が装填される本体基部２６と、この本体基部２６の前面側に取り付けられるストロボユニット２７と、撮影モードの切り替えを行うモード切替機構２８と、本体基部２６の前面側及び背面側に取り付けられる前カバー２９及び後カバー３０とからなる。
【００１８】
ストロボユニット２７は、各種電気部品が取り付けられてストロボ回路が形成されたプリント基板３２と、放電管やリフレクタ，拡散板等からなるストロボ発光部７とから構成されている。また、プリント基板３２には、シャッタレリーズに連動してオンし、ストロボ発光を行わせるシンクロスイッチ３３と、ストロボ操作部材８の移動によってオン／オフされる充電スイッチを構成する金属接片３４と、電池３５をストロボ回路に接続する電池接片３６等が取り付けられている。
【００１９】
本体基部２６の前面中央には、遮光筒３９が設けられている。この遮光筒３９の周囲には、シャッタチャージ機構，シャッタレリーズ機構，フイルム巻上げ機構，フイルム巻止機構，フイルムカウント機構，絞り切替機構，シャッタ速度切替機構，撮影光学系，ファインダ光学系等が組み込まれている。
【００２０】
図５は、遮光筒３９の周囲に組み込まれたシャッタレリーズ機構，絞り切替機構，シャッタ速度切替機構，撮影光学系の構成を示す分解斜視図である。遮光筒３９の前面には露光開口が形成されている。露光開口の前方には、シャッタ羽根４１が揺動自在に配置されている。
【００２１】
シャッタレリーズ機構を構成するシャッタ羽根４１は、揺動自在に支持される穴４３ａが形成されたベース部４３と、露光開口の前方に配置されて該露光開口の開閉を行う開閉部４４と、ベース部４３と開閉部４４とを接続する連結部４５とからなる。ベース部４３には、バネ４６の他端が掛けられるピン４３ｂと、シャッタ駆動レバーによって蹴飛ばされる突出部４３ｃと、ストロボユニット２７のシンクロスイッチ３３を動作させるシンクロ突起４３ｄとが設けられている。シャッタ羽根４１は、バネ４６に付勢されて露光開口を塞ぐ閉じ位置に保持されている。
【００２２】
シャッタレリーズ時には、シャッタチャージ機構のシャッタ駆動レバーによってシャッタ羽根４１の突出部４３ｃが蹴飛ばされる。シャッタ羽根４１は、バネ４６の付勢に抗して図中時計方向の開き位置に向けて回動する。そして、露光開口を全開させた後にバネ４６の付勢によって閉じ位置に復帰する。
【００２３】
また、シャッタ羽根４１は、開き位置への回動時にシンクロ突起４３ｄでシンクロスイッチ３３の上部金属接片３３ａを押圧し、下部金属接片３３ｂに接触させる。一対の金属接片３３ａ，３３ｂが接触してシンクロスイッチ３３がＯＮすると、ストロボユニット２７の発光部７においてストロボ発光が行われる。
【００２４】
遮光筒３９の前面には、レンズホルダ５０が取り付けられる。レンズホルダ５０の上部には、ストップレバー５１を回動自在に支持するピン５２が形成されている。ストップレバー５１は、ピン５２に支持されるボス５３と、このボス５３の側面から突出された２本のアーム５４，５５と、一方のアーム５４の先端に形成されたパッド５６とからなる。
【００２５】
このストップレバー５１は、パッド５６がシンクロスイッチ３３の下部金属接片３３ｂの自由端側の下方に挿入されて当接する高速シャッタ位置と、パッド５６を下部金属接片３３ｂの下方から退避させる低速シャッタ位置との間で回動される。
【００２６】
ストップレバー５１のパッド５６が高速シャッタ位置にある際にシャッタレリーズが行われると、シャッタ羽根４１のシンクロ突起４３ｄに押圧されたシンクロスイッチ３３の上部金属接片３３ａが下部金属接片３３ｂに接触し、パッド５６に当接する。これにより、シャッタ羽根４１の開き位置への回動が途中で阻止されるため、短時間でシャッタ羽根４１が閉じ位置に復帰し、高速なシャッタ速度を得ることができる。
【００２７】
また、シンクロスイッチ３３は、シンクロ突起４３ｄとパッド５６との間でオンされるので、確実に露光開口が全開の時にストロボ発光を行うことができ、シンクロ撮影時の露出を適正に行うことができる。
【００２８】
上記とは逆に、ストップレバー５１のパッド５６が低速シャッタ位置にある際には、シャッタ羽根４１の回動が大きくなる。これは、金属接片３３ｂの弾性変形が自由になるためである。その結果、シャッタ羽根４１が閉じ位置に復帰するまでの時間が長くなって、シャッタ速度が遅くなる。
【００２９】
レンズホルダ５０の前面中央には、筒形状の鏡筒５７が形成されている。鏡筒５７内には、露光開口５８が形成されており、鏡筒５７の側面には切欠５９が形成されている。鏡筒５７内には、撮影レンズ５を構成する第１レンズ６０と第２レンズ６１とが収納される。これら第１レンズ６０と第２レンズ６１との間には、絞り切替機構を構成する大絞り板６２と、絞り切替板６３と、絞り切替板６３の挿入スペースを確保するスペーサー６４とが収められる。大絞り板６２は、円形の薄板からなり、中央に大径の絞り開口６２ａが形成されている。
【００３０】
絞り切替板６３は、く字形状の薄板からなり、一端に大絞り開口６２ａを塞ぐ大きさの小絞り部６３ａが設けられている。この小絞り部６３ａには、小径の絞り開口６３ｂが形成されている。絞り切替板６３の他端には、穴６３ｃと長穴６３ｄとが形成されている。穴６３ｃは、レンズホルダ５０の鏡筒５７の近傍に形成されたピン６６に挿通され、絞り切替板６３を揺動自在とする。
【００３１】
図６に示すように、絞り切替板６３は、小絞り開口６３ｂを撮影光軸上に配置する小絞り位置と、図８に示すように、小絞り部６３ａを切欠５９から鏡筒５７の外に退避させ、大絞り開口６２ａを露呈させる大絞り位置との間で回動される。
【００３２】
鏡筒５７の外周には、切替リング６８が回動自在に嵌入される。切替リング６８には、バネ７０の一端が掛けられるバネ掛けピン６８ａと、絞り切替板６３の長穴６３ｄに挿入されるリンクピン６８ｂと、ストップレバー５１の他方のアーム５５が間に挟み込まれる一対の挟持ピン６８ｃと、撮影モード切替機構によって押圧される従動ピン６８ｄとが設けられている。
【００３３】
バネ７０の他端は、レンズホルダ５０の前面下部に形成されたピン７１に掛けられ、切替リング６８を図中時計方向に付勢する。なお、バネ７０によって付勢された切替リング６８は、絞り切替板６３によって初期位置に保持される。
【００３４】
図６に示すように、切替リング６８が初期位置にあるときには、絞り切替板６３は小絞り位置に、ストップレバー５１は高速シャッタ位置にセットされる。また、図７に示すように、切替リング６８が初期位置から図中反時計方向に回動された場合には、絞り切替板６３は大絞り位置に、ストップレバー５１は低速シャッタ位置にセットされる。
【００３５】
モード選択部材９には、図中左方に突出された略Ｌ字形状の切替アーム７２と、図中右方に突出されたカムアーム７３と、上方に突出された枠部材７４とが一体に形成されている。切替アーム７２は、モード選択部材９が第１’操作位置から第２’操作位置にスライドされた際に、切替リング６８の従動ピン６８ｄを押圧して、切替リング６８を初期位置から図中反時計方向に回動させる。カムアーム７３は、その先端に傾斜されたカム面７３ａが形成され、下面には二つの切欠の間に係止部７３ｂが形成されている。
【００３６】
枠部材７４の中には、垂直方向に配置されたスリット７６が形成されている。このスリット７６内には、上下方向で移動自在とされた可動ピン７７が挿入されている。可動ピン７７には、上方に向けて配置された略Ｌ字形状のリンクレバー７８が設けられている。レンズホルダ５０には、可動ピン７７に当接する傾斜リブ７９が配置されている。
【００３７】
リンクレバー７８の先端は、減光レバー８２の穴８２ａに挿入される。減光レバー８２は、略クランク形状とされており、一端に形成された穴８２ｂが前カバー２９の前面内壁に形成されたピンに挿入されて回動自在とされている。この減光レバー８２の他端には、ストロボ発光部７の前方に挿脱される減光部材２１が一体に形成されている。また、減光レバー８２の上部には、ファインダ６の前方に挿脱される指標板２２が一体に形成されている。
【００３８】
モード選択部材９が第１’操作位置から第２’操作位置へとスライドされると、可動ピン７７が傾斜リブ７９によってスリット７６内を上方に移動する。可動ピン７７の移動により、リンクレバー７８が減光レバー８２を上方に押圧するため、減光部材２１がストロボ発光７の前方に、指標板２２がファインダ６の前方にそれぞれ挿入される。
【００３９】
ストロボ操作部材８には、ストロボ操作部材８とともに上下方向でスライドされるスライド板８５が一体に形成されている。スライド板８５には、カムアーム７３のカム面７３ａが当接するカム面８５ａと、カムアーム７３の係止部７３ｂに係合する突起８５ｂと、ストロボユニット２７のプリント基板３２に取り付けられた係止片８６が挿入される開口８５ｃと、この開口８５ｃ内に突出されて係止片８６に係合する突起８５ｄと、シグナル部材１９に係合する係合部８５ｅと、ストロボ操作部材８が第２操作位置にスライドされた時に金属接片３４を押圧してストロボ充電を開始させる押圧突起（図示せず）とが設けられている。
【００４０】
突起８５ｄと係止片８６とは、第１クリックストップ機構を構成し、ストロボ操作部材８を第１操作位置と第２操作位置とで係止する。突起８５ｄは、側方にスリット８５ｆが形成されて弾性が付与されている。
【００４１】
係止部７３ｂと突起８５ｂとは、第２クリックストップ機構を構成する。第２クリックストップ機構は、ストロボ操作部材８が第２操作位置にあるときにのみ、モード選択部材９を第１’操作位置と第２’操作位置とで係止する。突起８５ｂは、側方にスリット８５ｇが形成されて弾性が付与されている。
【００４２】
カム面７３ａとカム面８５ａとは、ストロボ操作部材８とモード選択部材９とが、第１及び第１’操作位置と、第２及び第２’操作位置とにあるときに当接する。そのため、一方の操作部材のスライド操作によって、他方の操作部材を連動させることができる。
【００４３】
次に、上記実施形態の作用について説明する。図１に示すように、日中撮影モードにあるレンズ付きフイルムユニット２は、ストロボ操作部材８が操作開口１５の下方の第１操作位置に、モード選択部材９が操作開口１７の左方の第１’操作位置にスライドされている。
【００４４】
図６に示すように、日中撮影モードでは、切替リング６８がバネ７０に付勢されて初期位置にある。そのため、絞り切替板６３が小絞り位置にセットされ、ストップレバー５１が高速シャッタ位置にセットされている。また、減光レバー８２は回動されないため、減光部材２１と指標板２２とはレンズ付きフイルムユニット２の前面に露呈されない。
【００４５】
スライド板８５は下方にあるため、ストロボユニット２７の充電スイッチの金属接片３４は押圧されておらず、シグナル部材１９はユニット本体３の上面から突出されていない。スライド板８５では、突起８５ｄと係止片８６とが係合しているため、ストロボ操作部材８が不用意に第１操作位置から第２操作位置にスライドすることはない。また、カム面７３ａがカム面８５ａに当接しているため、モード選択部材９も不用意に第２’操作位置にスライドすることはない。
【００４６】
日中撮影モードで撮影を行うと、ストロボ発光は行われない。また、小絞り及び高速シャッタ状態であるため、輝度の高い日中屋外での撮影に適した露出で撮影を行うことができる。
【００４７】
図２に示すように、ストロボ操作部材８を第１操作位置から第２操作位置へとスライドすると、撮影モードが日中撮影モードから日中シンクロ撮影モードへと移行する。この時にストロボ操作部材８に発生する操作負荷は、突起８５ｄ及び係止片８６からなる第１クリックストップ機構のみによって生じるため、操作負荷が大きすぎることはなく、誤操作は発生しない。
【００４８】
図７に示すように、日中シンクロ撮影モードにおいても、切替リング６８は初期位置に維持される。そのため、日中撮影モードと同様に、小絞り状態及び高速シャッタ状態となる。また、減光レバー８２は回動されないため、減光部材２１と指標板２２とはレンズ付きフイルムユニット２の前面に露呈されない。
【００４９】
スライド板８５は、ストロボ操作部材８とともに上方にスライドされている。これにより、スライド板８５に設けられた押圧突起が金属接片３４が押圧し、ストロボユニット２７でストロボ充電を開始させる。また、スライド板８５は、シグナル部材１９を押圧してユニット本体３の上面から突出させる。ストロボ充電が完了すると、ストロボユニット２７に設けられた発光素子が点灯または点滅し、この発光素子の光は、シグナル部材１９にガイドされてユニット本体３外に放射される。
【００５０】
なお、スライド板８５が上方にスライドされると、突起８５ｂがカムアーム７３の係止部７３ｂに係合するので、モード選択部材９が不用意に第２’操作位置にスライドされることはない。
【００５１】
日中シンクロ撮影モードで撮影を行うと、通常光量でストロボ発光が行われるが、小絞り及び高速シャッタ状態であるため、輝度の高い日中屋外でのシンクロ撮影に適した露出で撮影を行うことができる。また、シンクロスイッチ３３を介してシャッタ速度の調整が行なわれるので、シャッタ速度が高速になってもストロボ発光を適切にシンクロさせることができる。
【００５２】
図３に示すように、ストロボ操作部材８が第２操作位置にある状態でモード選択部材９が第２’操作位置にスライドされると、レンズ付きフイルムユニット２は夜間シンクロ撮影モードなる。この時にモード選択部材９に発生する操作負荷は、突起８５ｂ及び係止部７３ｂからなる第２クリックストップ機構のみによって生じるため、操作負荷が大きすぎることはなく、誤操作は発生しない。
【００５３】
図８に示すように、夜間シンクロ撮影モードでは、切替アーム７２が切替リング６８の従動ピン６８ｄを側方から押圧する。切替リング６８は、バネ７０の付勢に抗して初期位置から反時計方向に回動する。切替リング６８の回動に連動して絞り切替板６３が大絞り位置に回動し、大絞り開口６２ａが撮影光軸上に配置される。また、ストップレバー５１は、低速シャッタ位置にセットされる。
【００５４】
モード選択部材９の第２’操作位置へのスライドにより、リンクレバー７８が減光レバー８２を上方に押圧する。減光レバー８２は、図中反時計方向に回動し、減光部材２１をストロボ発光部７の前方に挿入する。また、指標板２２がファインダ６の前方に挿入されるため、撮影者がファインダ６を覗いた時に、夜間シンクロ撮影モードにあることが分かるようになる。なお、スライド板８５は、日中シンクロ撮影モードの時と同じ位置に保持されるため、ストロボユニット２７の充電スイッチはオン状態が維持される。
【００５５】
夜間シンクロ撮影モードで撮影を行うと、大絞り及び低速シャッタ状態となるため、被写体の周辺光の取り込みが増加する。そのままストロボ発光すると、光量が強すぎて被写体がオーバー露光となってしまうが、減光部材１９によってストロボ光が遮られるため、ストロボ光量は小さくなる。これにより、夜間や屋内での撮影でもストロボ光による露光オーバーを発生させることなく、被写体と被写体の周辺画像とをバランスよく撮影することができる。
【００５６】
また、本発明のレンズ付きフイルムユニット２では、日中撮影モードにおいてモード選択部材９を第１’操作位置から第２’操作位置へとスライドすると、カムアーム７３のカム面７３ａがスライド板８５のカム面８５ａを押圧するため、ストロボ操作部材８が第２操作位置に移動される。これにより、日中シンクロ撮影モードを経ずに、日中撮影モードから夜間シンクロ撮影モードへと移行することができ、モード選択をより簡便に行なうことができる。
【００５７】
なお、日中撮影モードから夜間シンクロ撮影モードへの移行では、突起８５ｂと係止片８６とからなる第１クリックストップ機構しか作用しないため、モード選択部材９の操作負荷が過大になることない。よって、モード選択部材９の誤操作は発生しない。
【００５８】
同様に、夜間シンクロ撮影モードにおいてストロボ操作部材８を第２操作位置から第１操作位置へとスライドすると、カム面８５ａがカム面７３ａを押圧してモード選択部材９を第１’操作位置に移動させることができる。これにより、日中シンクロ撮影モードを経ずに、夜間シンクロ撮影モードから日中撮影モードへと移行することができる。
【００５９】
この夜間シンクロ撮影モードから日中撮影モードへの移行時には、スライド板８５の下方への移動によって係止部７３ｂと突起８５ｂとからなる第２クリックストップ機構は作用せず、第１クリックストップ機構しか作用しないため、ストロボ操作部材８の操作負荷が過大になることない。よって、ストロボ操作部材８の誤操作は発生しない。
【００６０】
なお、上記実施形態では、ストロボ操作部材８が第１操作位置にあるときに第２クリックストップ機構が作用しないようにした。しかしながら、モード選択部材９のスライド操作にはクリック感が生じないため、スライド操作が終了したことが分かりにくいことがある。そのため、第１クリックストップ機構だけの操作負荷と、第１クリックストップ機構と第２クリックストップ機構とを同時に用いた際の操作負荷とに大きな変動が生じないならば、ストロボ操作部材８が第１操作位置にあるときに第２クリックストップ機構が弱い操作負荷を発生するようにしてもよい。
【００６１】
上記作用を実現するには、図９〜図１１に示すように、例えば、ストロボ操作部材８のスライド板８５に前後方向で弾性を有するように形成された弾性片９０と、モード選択部材９のカムアーム７３に形成された略コ字形状の係止部９１とで第２クリックストップ機構を構成すればよい。弾性片９０の先端には、係止部９０に係止される突起９０ａが形成されている。また、第２クリックストップ機構の断面Ａ−Ａ及びＢ−Ｂである図１２（Ａ），（Ｂ）に示すように、係止部９１は、縦方向の溝９１ａ，９１ｂの深さが横方向の溝９１ｃよりも深くされている。
【００６２】
図１０に示すように、ストロボ操作部材８が第１操作位置にあって、レンズ付きフイルムユニットが日中撮影モードにあるときには、突起９０ａが係止部９１の溝９１ａの下端に位置している。この状態では、図１２（Ａ）に示すように、溝９１ａ及び９１ｂと、溝９１ｃとの間の浅い段差によって弾性片９０が係止されるので、非常に弱い操作負荷を発生させることができる。これにより、モード選択部材９を右方の第２’操作位置にスライドさせ、これに連動させてストロボ操作部材８を上方の第１操作位置にスライドさせた時に、操作負荷が大きくなりすぎることはなく、モード選択部材９にもクリック感を与えることができる。
【００６３】
また、図１１に示すように、ストロボ操作部材８を上方の第２操作位置にスライドすると、突起９０ａは溝９１ａの上端に位置する。この状態では、図１２（Ｂ）に示すように、溝９１ａ及び９１ｂとの間の深い段差によって弾性片９０が係止されるので、モード選択部材９にしっかりとした操作負荷とクリック感とを与えることができる。
【００６４】
なお、上記実施形態では、二つの操作部材を用いて撮影モードの選択を行なうレンズ付きフイルムユニットを例に説明した。しかしながら、本発明は、左右方向でスライドして撮影レンズを露呈及び隠蔽するレンズカバーと、上下方向でスライド操作されるストロボ操作部材とを備えたレンズ付フイルムユニットにも適用することができる。この場合、レンズカバーとストロボ操作部材とを連係させるとともに、ストロボ操作部材に第１クリックストップ機構を設け、レンズカバーとストロボ操作部材との間に弱い力で係止する第２クリックストップ機構を設ければよい。
【００６５】
また、レンズ付きフイルムユニット以外に、低価格なカメラや、その他の装置のモード選択に利用することもできる。
【００６６】
【発明の効果】
以上説明したように、本発明のモード選択装置によれば、二つの操作部材のうちの一方を操作して他方の操作部材を連動させる際の操作負荷を一つの操作部材のみを操作する時の操作負荷と同程度になるようにしたので、操作負荷の変動による誤操作を防止することができる。
【００６７】
また、本発明のモード選択装置をレンズ付きフイルムユニットに用いることで、適切かつ簡便に撮影モードを選択可能なレンズ付きフイルムユニットを構成することができる。
【図面の簡単な説明】
【図１】本発明を用いたレンズ付きフイルムユニットの日中撮影モードの状態を示す外観斜視図である。
【図２】レンズ付きフイルムユニットの日中シンクロ撮影モードの状態を示す外観斜視図である。
【図３】レンズ付きフイルムユニットの夜間シンクロ撮影モードの状態を示す外観斜視図である。
【図４】レンズ付きフイルムユニットの構成を示す分解斜視図である。
【図５】絞り及びシャッタ速度及びモード切替機構の構成を示す分解斜視図である。
【図６】日中撮影モード時の絞り及びシャッタ速度及びモード切替機構の状態を示す説明図である。
【図７】日中シンクロ撮影モード時の絞り及びシャッタ速度及びモード切替機構の状態を示す説明図である。
【図８】夜間シンクロ撮影モード時の絞り及びシャッタ速度及びモード切替機構の状態を示す説明図である。
【図９】弱い係止力が付与された第２クリックストップ機構を有する別の実施形態の構成を示す分解斜視図である。
【図１０】別の実施形態の日中撮影モード時の状態を示す説明図である。
【図１１】別の実施形態の日中シンクロ撮影モード時の状態を示す説明図である。
【図１２】図１０の断面Ａ−Ａ及び図１１の断面Ｂ−Ｂを示す要部断面図である。
【符号の説明】
２　レンズ付きフイルムユニット
３　ユニット本体
６　ファインダ
７　ストロボ発光部
８　ストロボ操作部材
９　モード選択部材
２８　モード切替機構
７３　カムアーム
７３ａ　カム面
７３ｂ　係止部
８５　スライド板
８５ａ　カム面
８５ｂ，８５ｄ　突起
８６　係止片
【図１】
2004029157.tif 000003
【図２】
2004029157.tif 000004
【図３】
2004029157.tif 000005
【図４】
2004029157.tif 000006
【図５】
2004029157.tif 000007
【図６】
2004029157.tif 000008
【図７】
2004029157.tif 000009
【図８】
2004029157.tif 000010
【図９】
2004029157.tif 000011
【図１０】
2004029157.tif 000012
【図１１】
2004029157.tif 000013
【図１２】
2004029157.tif 000014